(57)【要約】空気膨張式電光表示装置１は、空気膨張式電光表示体としての文字バルーン体２と、文字バルーン体２を縫着などにより取り付けるネット３と、ネット３を張るスタンド枠４と、文字バルーン体２に空気を送風する送風機５とからなる。文字バルーン体２は、空気が不透過または透過性の低い合成樹脂製などのシートを所定の形状に切断して縫い合わせて形成されている。文字バルーン体２内の所定位置には、照明６が吊り下げてある。文字バルーン２の裏生地２Ｄには、ファスナー７が取り付けられており、照明６の装着、交換、取り出しが円滑にできる。【特許請求の範囲】
【請求項１】
布を文字、記号、図形などの形に立体的に縫製して、空気を供給して膨らませた表示体の内部に照明を入れて内部より光らせることを特徴とする空気膨張式電光表示体。
【請求項２】
シートまたはネットに縫い付けなどで固定されていることを特徴とする請求項１に記載の空気膨張式電光表示体。
【請求項３】
表示面（表面）側または側面（側壁生地）側に空気を送る送風部分を有することを特徴とする請求項２に記載の空気膨張式電光表示体。
【請求項４】
布地の表示面と側面との色を変えたことを特徴とする請求項２または３に記載の空気膨張式電光表示体。
【請求項５】
背面（裏生地）または側面（側壁生地）に照明の取り付け用の開閉手段を設けたことを特徴とする請求項２〜４のいずれか１つに記載の空気膨張式電光表示体。
【発明の詳細な説明】
【技術分野】  この発明は、空気不透過または空気難透過シートを文字、記号、図形などに形成したバルーン体内に、電球などの光源を取り付けてネオンサインとして使用するための空気膨張式電光表示体に関する。
【背景技術】  夜間の屋外広告表示体としてはネオンサインが一般的であるが、設備が大掛かりで設置に多額の投資を必要とするとともに、昼間においてはほとんど広告表示体とし機能していない。
この発明の目的は、設置が簡便で低コストにネオンサイン的な電光表示体が実現でき、かつ昼間においても広告表示体としての効果が大きい空気膨張式電光表示体の提供にある。
【発明の開示】
この発明の空気膨張式電光表示体は、布などの空気不透過性または空気難透過性のシートを縫製して、文字、記号、図形など所定の形状を有する立体的袋体（バルーン体）を形成し、このバルーン体に空気を供給して膨らませた空気膨張式表示体の内部に、照明を入れて内部より光らせることを特徴とする。
この発明では、つぎの効果を奏する。
１）バルーン体はネオン管に比較して体積が大きい。このため、大型の夜間表示が安価でかつ簡易に実現できるとともに、昼間においても有効な表示効果を備えている。
２）複数のバルーン体を連結することにより、立体的、平面的、多色的など表現性も自由度が高く、絵柄、マークなど表示バリエーションが広い。
３）軽量であるとともに、コンパクトに折り畳むことが容易であるため、設置、収納、移転、転用が容易かつ低コストである。
この発明の空気膨張式電光表示体は、シートまたはネットに縫い付けなどで固定されていると有利である。
シートまたはネットとともに設置、収納できるため、短時間で設置ができるとともに、文字などの型がくずれることがない。
シートまたはネットに縫い付けた空気膨張式電光表示体は、バルーン体の側面（側壁生地）または表示面（表生地）に空気を送る送風部分を有すると、壁面に密着して設置する用途などに便利である。
この空気膨張式電光表示体は、バルーン体を形成する布地の表示面（表生地）と側面（側壁生地）との色を変えると、文字などの表示をより鮮明にできる。
この空気膨張式電光表示体は、バルーン体の背面（裏生地）または側面（側壁生地）にチャックなどの開閉手段を設けると、内部の照明（電球など）の取り付け、交換が容易になる。
【図面の簡単な説明】  第１図は、この発明の空気膨張式電光表示体の斜視図であり、第２図は要部の拡大図、第３図は断面図、第４図は要部の背面図である。第５図は他の実施例の空気膨張式電光表示体の斜視図であり、第６図は他の実施例の断面図である。
【発明を実施するための最良の形態】  この発明の一実施例を図１〜図４とともに説明する。図１は、「開店」の文字を表示する空気膨張式電光表示装置１を示す。空気膨張式電光表示装置１は、空気膨張式電光表示体としての「開店」の文字を構成する文字バルーン体２と、文字バルーン体２を縫着などにより取り付けるネット３と、ネット３を張るスタンド枠４と、文字バルーン体２に空気を送風する送風機５とからなる。
文字バルーン体２は、空気が不透過または透過性の低い合成樹脂製などのシートを所定の形状に切断して縫い合わせ、「開店」の文字の構造に形成されている。なお、縫い合わせ以外にシートの材質によって、超音波融着、接着などの他の接合方法は採用できる。
この実施例では、「開」の文字は、３つのバルーン２１、２２、２３を連結部２４で連結した構造を有し、「店」は１つのバルーン２５からなっている。バルーン２５は、連結部２６を通じてバルーン２３と連通している。
バルーン２１、２２、２３、２５は、略矩形の断面を有し、表生地２Ａと、側生地２Ｂ、２Ｃと、裏生地２Ｄとを有する。この実施例では、表生地２Ａと側生池２Ｂ、２Ｃとは、たとえば表生地２Ａは暖色、側生地２Ｂ、２Ｃは寒色とするなど、色彩、明度を適宜に変えてある。これにより、「開店」の文字の視認性を向上させ、宣伝、広告機能を増大させることができる。
バルーン２１、２２、２３、２５内の所定位置には、図２、図３に示す如く、照明６が吊り下げてある。この実施例では、照明６は、各バルーンの裏生地２Ｄの内面の所定の位置に設けたフック６１に、吊り下げ金具６２付きの籠カバー付きソケット６３を吊り下げ、電球６４を取り付けた構成を有する。なお、照明６は、電球以外に、蛍光灯、水銀灯、ハロゲンランプなどが使用できる。
裏生地２Ｄには、開閉手段としてファスナー７が取り付けられており、照明６の装着、交換、取り出しが円滑にできるようになっている。ファスナー７の端は、照明６のリード線６５の挿通口として使用できる。ファスナー７に対応した部分のネット３には、切り込みが設けられている。
ネット３にはバルーン２１、２２、２３、２５の裏生地２Ｄが縫着され、ネット３はスタンド枠４に張られた状態では「開店」の文字が適正に展開される。なお、ネット３は、織布、不織布などのシートまたは、金網などであってもよい。
スタンド枠４は、この実施例では、鉄パイプを曲げて形成した矩形の立枠４１と矩形の足枠４２とからなり、ネット３の外周が立枠４１に紐４３などで締結されている。足枠４２には砂袋４３などの重しを置くことで強風に対する転倒防止対策を行っている。なお、スタンド枠４は、ボード、建物の壁面（他の実施例に示す。）、塀などの剛体であってもよい。
送風機５は、周知のものであり、モーター５１とブロワ５２とを機枠５３に組み付けた構成を有する。送風機５は地上などに設置されブロワ５２の吹き出し口からダクト５４を通じて、バルーン２５の側生地２Ｂに設けた吹き込み口２７に送風する。送風機５により送風がなされている間は、バルーン２１、２２、２３、２５は膨張状態を維持し、「開店」の文字が立体的に表示される。
この発明の空気膨張式電光表示装置１は、開店した店舗などに設置して使用され、昼間は大型の看板として使用され、夕方以降は照明６を点灯してネオンサインとして使用される。空気膨張式電光表示装置１の設置は、スタンド枠４を立て、スタンド枠４にネット３を張り、送風機５をセットして送風すると、直ちに昼間の看板として使用ができ、夕方には照明６を電源に接続することでネオンサインとして表示機能が増大できる。この実施例の空気膨張式電光表示装置１は、スタンド枠４を用いているため、設置および撤去に自由度が高く、２、３日〜１週間ないし１、２カ月の比較的短期間の使用に好適である。
上記の実施例では、空気膨張式電光表示装置１は空気膨張式電光体として文字バルーン体２を用い、文字の表示を行っているが、文字バルーン体２の代わり記号、図形、イラストなど他のバルーン体を用いることができる。
第５図および第６図は他の実施例を示す。この実施例では、ビルの壁８にアンカーボルト８１を設置し、ネット３の外周ロープ３０をアンカーボルト８１に引っかけて文字バルーン体２を展開している。また、送風機５は、ビルの壁８に締結した棚枠８２に載置している。この構成では、スタンド枠４は不要であるとともに、ビルの壁８を有効利用でき、かつ文字バルーン体２をしっかりと保持させることができる。このため、数カ月から数年の長期間の使用に好適である。
【産業上の利用可能性】  この空気膨張式電光表示装置１は、設置、撤去が簡便でかつ低コストであるため、一定期間（たとえば、１週間、１カ月、１年、３年など）に使用されるネオンサインとして極めて有効である。
【図１】
2005101353.tif 000002
【図２】
2005101353.tif 000003
【図３】
2005101353.tif 000004
【図４】
2005101353.tif 000005
【図５】
2005101353.tif 000006
【図６】
2005101353.tif 000007
【手続補正書】
【提出日】平成18年2月9日(2006.2.9)
【手続補正１】
【補正対象書類名】特許請求の範囲
【補正対象項目名】全文
【補正方法】変更
【補正の内容】
【書類名】請求の範囲
【請求項１】布を文字、記号、図形などの形に立体的に縫製して裏生地、表生地および側生地からなり、空気の供給により膨らませるバルーン状の表示体と、
この表示体の内部に設けられて前記表示体を光らせる照明と、
前記表示体が所定の位置に接合されて立枠やビル壁に密着状態に設置されるネットまたはシートとを備え、
前記表生地と前記側生地とは色彩および明度を適宜に変えて彩色され、照明時に前記表示体の鮮明化により宣伝・広告用の視認性を高めていることを特徴とする空気膨張式電光表示体。
【請求項２】前記照明は、前記表示体における前記裏生地の内面に取付けたフックと、このフックに結ばれた吊り下げ金具を有する籠カバー付きソケットと該ソケットに取付けられた電球などの光源とからなり、前記裏生地または前記側生地に前記照明のリード線を挿通させる開閉手段を設けたことを特徴とする請求の範囲１に記載の空気膨張式電光表示体。
【請求項３】前記表示体における前記表生地または前記側生地には、前記表示体に空気を送るための送風部分が設けられていることを特徴とする請求の範囲１または請求の範囲２に記載の空気膨張式電光表示体。
【手続補正２】
【補正対象書類名】明細書
【補正対象項目名】発明の名称
【補正方法】変更
【補正の内容】
【発明の名称】空気膨張式電光表示体
【手続補正３】
【補正対象書類名】明細書
【補正対象項目名】０００１
【補正方法】変更
【補正の内容】
【０００１】
【書類名】明細書
【発明の名称】空気膨張式電光表示体
【技術分野】
この発明は、空気不透過または空気難透過シートを文字、記号、図形などに形成したバルーン体内に、電球などの光源を取り付けてネオンサインとして使用するための空気膨張式電光表示体に関する。
【背景技術】
夜間の屋外広告表示体としてはネオンサインが一般的であるが、設備が大掛かりで設置に多額の投資を必要とするとともに、昼間においてはほとんど広告表示体とし機能していない。
この発明の目的は、設置が簡便で低コストにネオンサイン的な電光表示体が実現でき、かつ昼間においても広告表示体としての効果が大きい空気膨張式電光表示体の提供にある。
【発明の開示】
この発明の空気膨張式電光表示体では、布を文字、記号、図形などの形に立体的に縫製して裏生地、表生地および側生地からなり、空気の供給により膨らませるバルーン状の表示体と、この表示体の内部に設けられて表示体を光らせる照明と、表示体が所定の位置に接合されて立枠やビル壁に密着状態に設置されるネットまたはシートとを備え、表生地と側生地とは色彩および明度を適宜に変えて彩色され、照明時に表示体の鮮明化により宣伝・広告用の視認性を高めていることを特徴とする。
この発明では、つぎの効果を奏する。
１／１
【国際調査報告】
2005101353.tif 000008
2005101353.tif 000009
2005101353.tif 000010
2005101353.tif 000011